(57)【要約】【課題】ケーブルテレビのデジタル放送及びアナログ放送の両方のチャンネルプリセットが、放送モードの誤決定を防止して精度良く確実に、かつ、極力迅速に行なえるようにして、テレビ受信装置のチャンネルプリセット性能を改善する。【解決手段】チャンネルプリセット時、システム制御部１２による受信復調部４の予備検索の制御により、アナログ放送については受信範囲の全域を受信スキャンして各受信チャンネルの放送モードを検出し、この検出結果の多数決処理に基づき、受信ノイズの影響を受けることがなく、精度良く確実に当地の放送モードを決定し、デジタル放送については、同じ受信地であればアナログ放送とデジタル放送の放送モードが同じになることに着目してアナログ放送の決定結果をそのまま利用し、放送モードの検出等を全く行なうことなく、極めて迅速に当地の放送モードを決定する。【選択図】図１
2008244625.tif 000002
【特許請求の範囲】
【請求項１】
複数の放送モードのいずれかで配信されるケーブルテレビのデジタル放送及びアナログ放送をプリセット受信するテレビ受信装置において、各放送モードの受信復調機能を有し、ケーブル入力信号を受信復調する受信復調部と、チャンネルプリセットの予備検索により、前記受信復調部をアナログ放送の受信復調状態にして前記受信復調部の受信周波数を受信範囲全域に渡ってスイープ可変する予備検索制御手段と、前記スイープ可変により前記受信復調部が信号を受信する毎に前記受信復調部をアナログ放送の前記各放送モードの復調に順に切り替え、前記受信復調部が復調同期した受信周波数から受信チャンネルのアナログ放送の放送モードを検出する放送モード検出手段と、前記予備検索の終了後に前記受信範囲全域の同じ放送モードが検出されたアナログ放送の受信チャンネル数の多数決処理により、当地のアナログ放送及びデジタル放送の放送モードをアナログ放送の受信チャンネル数が最も多い放送モードに決定する放送モード決定手段と、前記受信復調部を決定した放送モードのアナログ放送及びデジタル放送のチャンネルプリセットの受信復調に設定する受信復調設定手段とを備えたことを特徴とするテレビ受信装置。
【請求項２】
デジタル放送及びアナログ放送の各放送モードは、全米テレビ放送規格委員会（ＮＴＳＣ）が規定するエス・ティー・ディー（ＳＴＤ；ＳＴａｎＤａｒｄ）、エイチ・アール・シー（ＨＲＣ；Ｈａｒｍｏｎｉｃ  Ｒｅｌａｔｅｄ  Ｃａｒｒｉｅｒ）、アイ・アール・シー（ＩＲＣ；Ｉｎｃｒｅｍｅｎｔａｌ
Ｒｅｌａｔｅｄ Ｃａｒｒｉｅｒ）のモードであることを特徴とする請求項１記載のテレビ受信装置。
【請求項３】
複数の放送モードのいずれかで配信されるケーブルテレビのデジタル放送及びアナログ放送をプリセット受信するテレビ受信装置のチャンネルプリセット方法において、チャンネルプリセットの予備検索により、ケーブル入力信号を受信復調する受信復調部をアナログ放送の受信復調状態にして前記受信復調部の受信周波数を受信範囲全域に渡ってスイープ可変し、該スイープ可変により前記受信復調部が信号を受信する毎に、前記受信復調部をアナログ放送の前記各放送モードの復調に順に切り替え、復調同期した受信周波数から受信チャンネルのアナログ放送の放送モードを検出し、前記予備検索の終了後、前記受信範囲全域の同じ放送モードが検出されたアナログ放送の受信チャンネル数の多数決処理により、当地のアナログ放送及びデジタル放送の放送モードをアナログ放送の受信チャンネル数が最も多い放送モードに決定し、前記受信復調部を決定した放送モードのアナログ放送及びデジタル放送のチャンネルプリセットの受信復調に設定することを特徴とするテレビ受信装置のチャンネルプリセット方法。
【請求項４】
デジタル放送及びアナログ放送の各放送モードは、全米テレビ放送規格委員会（ＮＴＳＣ）が規定するエス・ティー・ディー（ＳＴＤ；ＳＴａｎＤａｒｄ）、エイチ・アール・シー（ＨＲＣ；Ｈａｒｍｏｎｉｃ  Ｒｅｌａｔｅｄ  Ｃａｒｒｉｅｒ）、アイ・アール・シー（ＩＲＣ；Ｉｎｃｒｅｍｅｎｔａｌ
Ｒｅｌａｔｅｄ Ｃａｒｒｉｅｒ）のモードであることを特徴とする請求項３記載のテレビ受信装置のチャンネルプリセット方法。
【発明の詳細な説明】
【技術分野】
【０００１】
本発明は、ケーブルテレビのデジタル放送及びアナログ放送のチャンネルプリセット機能を有するテレビ受信装置及び該装置のチャンネルプリセット方法に関し、詳しくは、チャンネルプリセット性能の改善に関する。
【背景技術】
【０００２】
従来、例えば米国においてはケーブルテレビ（ＣＡＴＶ）によってＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）方式のデジタル放送及びＮＴＳＣ方式のアナログ放送が混在して配信される。
【０００３】
この場合、よく知られているように配信されるデジタル放送及びアナログ放送は、全米テレビ放送規格委員会（ＮＴＳＣ）が規定するエス・ティー・ディー（ＳＴＤ；ＳＴａｎＤａｒｄ）、エイチ・アール・シー（ＨＲＣ；Ｈａｒｍｏｎｉｃ  Ｒｅｌａｔｅｄ  Ｃａｒｒｉｅｒ）、アイ・アール・シー（ＩＲＣ；Ｉｎｃｒｅｍｅｎｔａｌ
Ｒｅｌａｔｅｄ Ｃａｒｒｉｅｒ）のいずれかの放送モードで圧縮される。尚、以下においては、上記各放送モードをＳＴＤ、ＩＲＣ、ＨＲＣと称する。
【０００４】
又、前記ケーブルテレビの放送を受信するテレビ受信装置には、デジタル放送及びアナログ放送のチャンネルプリセット機能を備え、初期設定時等に自動的に受信可能なデジタル放送及びアナログ放送のチャンネルプリセットを行なうものがある。
【０００５】
前記チャンネルプリセットは、デジタル放送、アナログ放送それぞれについて、前処理的な予備検索の受信スキャンによって当地の放送モードを決定し、その後、チャンネルプリセットの受信スキャンを実行し、受信した各チャンネルの信号を決定した放送モードで復調して受信ロックの有無を確認し、この結果に基づいてチャンネルプリセットを行なっている。
【０００６】
しかしながら、デジタル放送、アナログ放送それぞれについて、受信範囲（受信可能な周波数範囲）の全域を予備検索して受信地の放送モードを決定するのでは、チャンネルプリセットに時間がかかる。
【０００７】
そこで、チャンネルプリセットの前記予備検索により、アナログ放送、デジタル放送それぞにつき、放送モードによって搬送波の中心周波数が異なる特定チャンネル（第５、第６チャンネル）のみ前記中心周波数から放送モードを検出し、該検出に基づいて当地の放送モードを決定し、チャンネルプリセットの時間を短縮することが提案されている（例えば、特許文献１参照）。
【特許文献１】特開２００３−２３００６０号公報（段落［０００１］、［０００８］−００１３］、［００７５］−［００９４］、図１、図８〜図１０）
【発明の開示】
【発明が解決しようとする課題】
【０００８】
前記特許文献１等に記載の従来装置の場合、受信ノイズの影響が少ないデジタル放送については、前記特定チャンネルの前記中心周波数からの放送モードの検出によって当地の放送モードを精度良く確実に決定することが可能であるが、受信ノイズの影響が大きいアナログ放送については、受信チャンネルの前記中心周波数が受信ノイズによって変動し易いため、前記特定チャンネルの前記中心周波数からの放送モードの検出のみによっては当地の放送モードの誤決定が生じるおそれがある。
【０００９】
そのため、アナログ放送については、多小時間がかかったとしても、極力、受信ノイズの影響による誤決定を防止して当地の放送モードを精度良く確実に決定することが望ましい。
【００１０】
しかしながら、アナログ放送について、受信ノイズの影響による誤決定を防止して当地（受信地）の放送モードを精度良く確実に決定する具体的な構成は発明されていない。
【００１１】
一方、デジタル放送については、受信ノイズの影響による誤決定は少ないが、予備検索により、少なくとも前記特定チャンネルを実際に受信して放送モードを検出する必要があるため、チャンネルプリセットの十分な時間短縮が図れているとはいえない。
【００１２】
すなわち、従来のこの種のテレビ受信装置の場合、チャンネルプリセット時、アナログ放送について精度良く確実に放送モードを決定することは困難であり、又、デジタル放送についてより迅速に放送モードを決定することも困難である。そのため、とくにケーブルテレビにアナログ放送及びデジタル放送の多数のチャンネルが存在する米国各地で使用するような場合に、デジタル放送及びアナログ放送の両方のチャンネルプリセットを、放送モードの誤決定を防止して確実かつ迅速に行なうことができない問題がある。
【００１３】
本発明は、ケーブルテレビのデジタル放送及びアナログ放送の両方のチャンネルプリセットが、放送モードの誤決定を防止して精度良く確実に、かつ、極力迅速に行なえるようにして、テレビ受信装置のチャンネルプリセット性能を改善することを目的とする。
【課題を解決するための手段】
【００１４】
上記した目的を達成するために、本発明のテレビ受信装置は、複数の放送モードのいずれかで配信されるケーブルテレビのデジタル放送及びアナログ放送をプリセット受信するテレビ受信装置において、各放送モードの受信復調機能を有し、ケーブル入力信号を受信復調する受信復調部と、チャンネルプリセットの予備検索により、前記受信復調部をアナログ放送の受信復調状態にして前記受信復調部の受信周波数を受信範囲全域に渡ってスイープ可変する予備検索制御手段と、前記スイープ可変により前記受信復調部が信号を受信する毎に前記受信復調部をアナログ放送の前記各放送モードの復調に順に切り替え、前記受信復調部が復調同期した受信周波数から受信チャンネルのアナログ放送の放送モードを検出する放送モード検出手段と、前記予備検索の終了後に前記受信範囲全域の同じ放送モードが検出されたアナログ放送の受信チャンネル数の多数決処理により、当地のアナログ放送及びデジタル放送の放送モードをアナログ放送の受信チャンネル数が最も多い放送モードに決定する放送モード決定手段と、前記受信復調部を決定した放送モードのアナログ放送及びデジタル放送のチャンネルプリセットの受信復調に設定する受信復調設定手段とを備えたことを特徴としている（請求項１）。
【００１５】
又、本発明のテレビ受信装置は、請求項１に係るテレビ受信装置において、デジタル放送及びアナログ放送の各放送モードは、全米テレビ放送規格委員会（ＮＴＳＣ）が規定するＳＴＤ、ＨＲＣ、ＩＲＣのモードであることを特徴としている（請求項２）。
【００１６】
次に、本発明のテレビ受信装置のチャンネルプリセット方法は、複数の放送モードのいずれかで配信されるケーブルテレビのデジタル放送及びアナログ放送をプリセット受信するテレビ受信装置のチャンネルプリセット方法において、チャンネルプリセットの予備検索により、ケーブル入力信号を受信復調する受信復調部をアナログ放送の受信復調状態にして前記受信復調部の受信周波数を受信範囲全域に渡ってスイープ可変し、該スイープ可変により前記受信復調部が信号を受信する毎に、前記受信復調部をアナログ放送の前記各放送モードの復調に順に切り替え、復調同期した受信周波数から受信チャンネルのアナログ放送の放送モードを検出し、前記予備検索の終了後、前記受信範囲全域の同じ放送モードが検出されたアナログ放送の受信チャンネル数の多数決処理により、当地のアナログ放送及びデジタル放送の放送モードをアナログ放送の受信チャンネル数が最も多い放送モードに決定し、前記受信復調部を決定した放送モードのアナログ放送及びデジタル放送のチャンネルプリセットの受信復調に設定することを特徴としている（請求項３）。
【００１７】
又、本発明のテレビ受信装置のチャンネルプリセット方法は、請求項３に係るテレビ受信装置のチャンネルプリセット方法において、デジタル放送及びアナログ放送の各放送モードは、全米テレビ放送規格委員会（ＮＴＳＣ）が規定するＳＴＤ、ＨＲＣ、ＩＲＣのモードであることを特徴としている（請求項４）。
【発明の効果】
【００１８】
請求項１及び請求項３の発明によれば、チャンネルプリセット時、その予備検索により、アナログ放送については受信範囲の全域を受信スキャンして各受信チャンネルの放送モードを検出し、この検出結果の多数決処理から当地の放送モードが決定される。この場合、前記多数決処理に基づき、受信ノイズの影響を受けることがなく、精度良く確実に当地の放送モードを決定することができる。
【００１９】
又、デジタル放送については、同じ受信地であればアナログ放送とデジタル放送の放送モードが同じになることに着目してアナログ放送の決定結果をそのまま利用し、受信スキャンに基づく放送モードの検出等を全く行なうことなく、極めて迅速に当地の放送モードを決定することができる。
【００２０】
したがって、ケーブルテレビのデジタル放送及びアナログ放送の両方のチャンネルプリセットを、放送モードの誤決定を防止して精度良く確実に、かつ、極力迅速に行なうことができ、この種のテレビ受信装置のチャンネルプリセット性能を著しく改善することができる。
【００２１】
又、請求項２及び請求項４の発明によれば、デジタル放送及びアナログ放送の各放送モードがＳＴＤ、ＨＲＣ、ＩＲＣのモードであるため、米国のケーブルテレビのテレビ受信装置のチャンネルプリセットに適用して請求項１及び３の発明の効果を奏する具体的構成を提供することができる。
【発明を実施するための最良の形態】
【００２２】
つぎに、本発明をより詳細に説明するため、その一実施形態について、図１乃至図３にしたがって詳述する。
【００２３】
図１はテレビ受信装置１の要部の回路ブロックを示し、図２はそのチャンネルプリセット時の予備検索のフローチャート、図３は予備検索に基づくプリセット処理のフローチャートである。
【００２４】
（構成）
図１のテレビ受信装置１は米国のケーブルテレビのデジタル放送及びアナログ放送のプリセット受信機能を有する米国仕様のテレビ受信装置であり、同図において、２はケーブルテレビのケーブル、３はケーブル２に接続されたケーブル入力端子、４は本発明の受信復調部であり、ケーブル入力端子３のケーブル入力信号が分配入力されるデジタル放送受信復調ユニット４ａ及びアナログ放送受信復調ユニット４ｂを内蔵し、複数の放送モードのいずれかで配信されるケーブルテレビのデジタル放送及びアナログ放送のプリセット受信の受信復調機能を有する。
【００２５】
５は受信復調部４の後段の映像・音声デコーダ部であり、デジタル放送受信復調ユニット４ａのデジタル放送の受信復調出力のデジタル信号（ＴＳ信号）及びアナログ放送受信復調ユニット４ｂのアナログ放送の受信復調出力のデジタル信号（デジタルコンポーネント信号）を、周知のビデオデコーダ、音声デコーダによって復号処理し、映像、音声のデジタル信号を再生する。
【００２６】
６は映像・音声デコーダ部５の後段の映像処理部であり、映像のデジタル信号に３原色信号への信号変換や輝度及びコントラストの調整等を施して３原色表示出力を形成し、該３原色出力を液晶ディスプレイやプラズマディスプレイが形成する画面表示部７に供給して受信放送の画面を画面表示部７に表示する。
【００２７】
８は映像・音声デコーダ部５の後段の音声処理部であり、音声のデジタル信号に基づくアナログの音声出力を形成し、該音声出力をスピーカ等の音声出力部９に供給する。
【００２８】
１０は選局制御部であり、プリセット受信時には不揮発性の書き換え自在のプリセットメモリ１１の後述するチャンネルデータに基づいて受信復調部４の受信復調を制御する。
【００２９】
１２はテレビ受信装置１全体を制御するマイクロコンピュータ構成のシステム制御部であり、予め設定された各種制御のプログラムを実行し、最初の電源投入時及びいわゆるメニュー選択によるチャンネルプリセットの選択時には、チャンネルプリセットの制御モードになって図２のチャンネルプリセットの予備検索及び図３のプリセット処理を行い、本発明の予備検索制御手段、放送モード検出手段、放送モード決定手段、受信復調設定手段を形成する。
【００３０】
そして、予備検索制御手段は、前記チャンネルプリセットの制御モードになると最初に動作し、デジタル放送受信復調ユニット４ａをオフ、アナログ放送受信復調ユニット４ｂをオンに制御して受信復調部４をアナログ放送の受信復調状態に設定し、この状態で受信復調部４の受信周波数を受信範囲全域に渡ってスイープ可変し、受信範囲全域のアナログ放送の受信スキャンを実行する。
【００３１】
放送モード検出手段は、前記スイープ可変により受信復調部４のアナログ放送受信復調ユニット４ｂが信号（放送）を受信する毎にアナログ放送受信復調ユニット４ｂをアナログ放送のＳＴＤ、ＩＲＣ、ＨＲＣの各放送モードの復調に順に切り替え、復調同期が取れるか否か、すなわち、受信ロックの状態になるか否かを判別し、受信ロックの状態になったときの受信周波数（詳しくは搬送波の中心周波数）から受信チャンネルのアナログ放送の放送モードを検出し、例えば、検出した放送モードと受信周波数の組合せをルックアップテーブル状に記憶する。
【００３２】
放送モード決定手段は、前記放送モード検出手段の受信スキャンの終了後、すなわち、予備検索の終了後に動作し、前記放送モード検出手段に保持された各受信周波数のチャンネル（受信チャンネル）の放送モードに基づき、受信範囲全域の同じ放送モードが検出されたアナログ放送の受信チャンネル数の多数決処理を実行し、最も多かった放送モードを当地のアナログ放送及びデジタル放送の放送モードに決定する。
【００３３】
受信復調設定手段は、放送モード決定手段がアナログ放送及びデジタル放送の放送モードを決定した後、データベース（ＤＢ）部１３から決定した放送モードのデジタル放送及びアナログ放送の各チャンネルのチャンネルデータを読み出して受信復調部４を決定した放送モードのアナログ放送及びデジタル放送のチャンネルプリセットの受信復調に設定し、各プリセットチャンネルの受信復調の有無に基づき、デジタル放送及びアナログ放送の各有放送チャンネルのチャンネルデータのみをプリセットメモリ１１に書き込んでチャンネルプリセットを完了する。尚、データベース部１３は、例えば放送モードの別にケーブルテレビのデジタル放送及びアナログ放送の各チャンネルのチャンネル番号（ダイレクトアクセスのチャンネル番号）、受信周波数等のチャンネルデータを蓄積保持する。
【００３４】
（動作）
テレビ受信装置１の最初の電源投入又はメニュー選択によるチャンネルプリセットの選択により、システム制御部１２がチャンネルプリセットの制御モードになると、システム制御部１２は、まず、予備検索制御手段によって図２のチャンネルプリセットの予備検索の制御を実行する。
【００３５】
そして、図２のステップＳ１により選局制御部１０を介して受信復調部４をアナログ放送の受信復調状態に設定し、デジタル放送受信復調ユニット４ａをオフ、アナログ放送受信復調ユニット４ｂをオンに制御する。
【００３６】
次に、ステップＳ２によりアナログ放送受信復調ユニット４ｂの受信周波数を、例えばケーブルテレビの受信範囲の下限（又は上限）の周波数に初期設定し、この状態から受信周波数を上方（又は下方）にスイープ可変する。
【００３７】
そして、ステップＳ３、Ｓ４、Ｓ５のループによってアナログ放送受信復調ユニット４ｂの信号受信を監視し、その入力信号レベルの変化等から信号受信を検出すると、放送モード検出手段が動作してステップＳ３からステップＳ６に移行し、ステップＳ６、Ｓ７により、その受信周波数又はその近傍周波数のＳＴＤのチャンネルのチャンネルデータをデータベース部１３から読み出し、そのチャンネルデータの受信周波数で受信ロックするか否かを判別する。
【００３８】
このとき、受信ロックすると、そのチャンネル番号（受信チャンネル番号）、受信周波数及び放送モードのＳＴＤを記憶してステップＳ７からステップＳ８を介してステップＳ４に移行し、このステップＳ４から処理をくり返して更に受信周波数をスイープ可変しながら次の受信ロックを探す。
【００３９】
一方、ＳＴＤの放送モードで受信ロックしなければ、ステップＳ７からステップＳ９に移行し、ステップＳ９、Ｓ１０により、その受信周波数又はその近傍周波数のＩＲＣのチャンネルのチャンネルデータをデータベース部１３から読み出し、そのチャンネルデータの受信周波数で受信ロックするか否かを判別する。
【００４０】
そして、受信ロックすると、そのチャンネル番号、受信周波数及び放送モードのＩＲＣを記憶してステップＳ１０からステップＳ８を介してステップＳ４に移行し、更に受信周波数をスイープ可変しながら次の受信ロックを探す。
【００４１】
又、ＩＲＣの放送モードで受信ロックしなければ、ステップＳ１０からステップＳ１１に移行し、ステップＳ１１、Ｓ１２により、その受信周波数又はその近傍周波数のＨＲＣのチャンネルのチャンネルデータをデータベース部１３から読み出し、そのチャンネルデータの受信周波数で受信ロックするか否かを判別する。
【００４２】
そして、受信ロックすると、そのチャンネル番号、受信周波数及び放送モードのＨＲＣを記憶してステップＳ１２からステップＳ８を介してステップＳ４に移行し、更に受信周波数をスイープ可変しながら次の受信ロックを探す。
【００４３】
又、ＨＲＣの放送モードでも受信ロックしなければ、ステップＳ１２から直ちにステップＳ４に移行し、更に受信周波数をスイープ可変しながら次の受信ロックを探す。
【００４４】
以上の放送モードの検出を受信範囲の上限（又は下限）まで行なうと、ステップＳ４でその状態を検出して予備検索を終了する。
【００４５】
次に、放送モード決定手段、受信復調設定手段が順に動作して図３のプリセットの処理を実行する。
【００４６】
そして、放送モード決定手段は図３のステップＱ１、Ｑ２において、前記予備検索によって得られた受信範囲の各受信周波数のチャンネルの放送モードの多数決処理を行ない、最も多かった放送モードを当地のアナログ放送及びデジタル放送の放送モードに決定する。
【００４７】
この場合、多数決処理に基づき、受信ノイズの影響を受けることなく、精度良く確実に当地のアナログ放送の放送モードを決定することができる。しかも、デジタル放送については、同じ受信地であればアナログ放送とデジタル放送の放送モードが同じになることに着目してアナログ放送の決定結果をそのまま利用し、受信スキャンに基づく放送モードの検出等を全く行なうことなく、当地のデジタル放送の放送モードも同時に決定することができる。
【００４８】
その後、ステップＱ２からステップＱ３に移行して受信復調設定手段が動作し、アナログ放送及びデジタル放送の決定された放送モードに基づき、データベース部１３から当該放送モードのデジタル放送及びアナログ放送の各チャンネルのチャンネルデータを読み出し、受信復調部４を決定した放送モードのアナログ放送及びデジタル放送のチャンネルプリセットの受信復調に設定して受信スキャンを実行する。
【００４９】
そして、各プリセットチャンネルの受信復調の有無に基づき、デジタル放送及びアナログ放送の各有放送チャンネルのチャンネルデータのみをプリセットメモリ１１に書き込んでチャンネルプリセットを完了し、ステップＱ３の処理を終了する。
【００５０】
以降は、ユーザがチャンネルを選択することにより、選択したチャンネルのプリセットされたチャンネルデータがプリセットメモリ１１から読み出され、そのチャンネルデータに基づき、受信復調部４は決定された放送モードで選択されたチャンネルのデジタル放送又はアナログ放送を受信復調し、その受信復調出力を映像・音声デコーダ部５が復号処理して映像、音声のデジタル信号を再生する。
【００５１】
更に、映像・音声デコーダ部５の映像、音声のデジタル信号が映像処理部６、音声処理部８で３原色表示出力、音声出力に加工され、それらの出力に基づき画面表示部７、音声出力部９が当該チャンネルのデジタル放送又はアナログ放送の画面を表示、音声を出力する。
【００５２】
したがって、本実施形態の場合、デジタル放送及びアナログ放送がＳＴＤ、ＨＲＣ、ＩＲＣのいずれかの放送モードで配信される米国のケーブルテレビをチャンネルプリセットして受信するテレビ受信装置１のチャンネルプリセットが、アナログ放送については受信範囲の全域を受信スキャンして検出した各受信チャンネルの放送モードの多数決処理により、受信ノイズの影響を受けることなく、精度良く確実に当地の放送モードを決定し、又、デジタル放送については、同じ受信地であればアナログ放送とデジタル放送の放送モードが同じになることに着目し、放送モードの検出等を全く行なうことなく、同時に当地の放送モードを決定することができる。
【００５３】
したがって、ケーブルテレビのデジタル放送及びアナログ放送の両方のチャンネルプリセットを、放送モードの誤決定を防止して精度良く確実に、かつ、極力迅速に行なうことができ、米国のケーブルテレビをチャンネルプリセット受信するこの種のテレビ受信装置１のチャンネルプリセット性能を著しく改善することができる。
【００５４】
そして、本発明は上述した実施形態に限定されるものではなく、その趣旨を逸脱しない限りにおいて上述したもの以外に種々の変更を行うことが可能であり、例えば、テレビ受信装置１は地上波放送等のアンテナ受信の機能も備える構成であってもよい。
【００５５】
そして、テレビ受信装置１の各部の構成等は図１に限られるものではない。
【００５６】
次に、本発明は、放送モードの種類や個数が前記実施形態と異なる場合にも同様に適用することができる。
【００５７】
又、本発明が適用されるテレビ受信装置は、例えば、図１の画面表示部７、音声出力部９が省かれて、ＤＶＤプレーヤ、ＤＶＤレコーダ等に組み込まれた構成であってもよいのは勿論である。
【００５８】
そして、本発明は、ケーブルテレビのデジタル放送及びアナログ放送をチャンネルプリセット受信する種々のテレビ受信装置のチャンネルプリセットに適用することができる。
【図面の簡単な説明】
【００５９】
【図１】本発明の一実施形態のテレビ受信装置のブロック図である。
【図２】図１のチャンネルプリセット時の予備検索のフローチャートである。
【図３】図１の予備検索に基づくプリセット処理のフローチャートである。
【符号の説明】
【００６０】
４    受信復調部
１０    選局制御部
１１    プリセットメモリ
１２    システム制御部
【図１】
2008244625.tif 000003
【図２】
2008244625.tif 000004
【図３】
2008244625.tif 000005